(57)【要約】【課題】異なる数の重り部材と係合するために異なるサイズに調整可能な基部を備えるダンベル装置を提供する。【解決手段】ハンドルバー１０と、前記ハンドルバーに取り付けられた第１の重り部材１３及び第２の重り部材１４と、前記第１の重り部材及び前記第２の重り部材に取り付け可能な第１の重り要素１５及び第２の重り要素１６と、筐体を含むレセプタクル３とを備える。第１のケーシング４０及び第２のケーシング４１は、ハウジング３０と係合可能である。前記ハウジングが２つの外側部分の各々に形成されたアンカー部材を備え、前記第１のケーシング及び前記第２のケーシングがそれぞれ、アンカー要素を備える。少なくとも１つの第１のスペーサ５０及び第２のスペーサ５１が、前記ハウジングに取り付けられ、前記ハウジングと前記第１のケーシング及び前記第２のケーシングとの間に係合される。【選択図】図１
0003231197.tif 000002
【実用新案登録請求の範囲】
【請求項１】
ハンドルバーと、前記ハンドルバーに取り付けられた第１の重り部材及び第２の重り部材と、前記第１の重り部材及び前記第２の重り部材に取り付け可能な第１の重り要素及び第２の重り要素と、筐体を含むレセプタクルとを備えるダンベル装置であって、
第１のケーシング及び第２のケーシングは、前記第１の重り部材及び前記第２の重り部材と係合するためにハウジングと係合可能であることを特徴とするダンベル装置。
【請求項２】
前記ハンドルバーに２つのプレートが取り付けられ、前記第１の重り部材及び前記第２の重り部材が前記プレートに取り付け可能であり、前記ハウジングが、前記プレートと係合するための２つの窪みを備える、ことを特徴とする請求項１に記載のダンベル装置。
【請求項３】
前記第１のケーシング及び前記第２のケーシングは、それぞれ、前記第１の重り部材及び前記第２の重り部材のいずれか、または前記第１の重り要素及び前記第２の重り要素のいずれかと係合するための凹部を備える、ことを特徴とする請求項１に記載のダンベル装置。
【請求項４】
前記ハウジングが２つの外側部分の各々に形成されたアンカー部材を備え、前記第１のケーシング及び前記第２のケーシングがそれぞれ、前記アンカー部材と係合するためのアンカー要素を備え、少なくとも１つの第１のスペーサ及び少なくとも１つの第２のスペーサが、前記ハウジングに取り付けられ、前記第１の重り要素及び前記第２の重り要素と係合するために前記ハウジングと前記第１のケーシング及び前記第２のケーシングとの間に係合される、ことを特徴とする請求項１に記載のダンベル装置。
【請求項５】
前記第１のスペーサ及び前記第２のスペーサはそれぞれ、前記第１のケーシング及び前記第２のケーシングの前記アンカー要素と係合するための第２のアンカー部材と、前記ハウジングの前記アンカー部材と係合するための第２のアンカー要素とを備え、前記第１のスペーサ及び前記第２のスペーサは、それぞれ、前記第１の重り部材及び前記第２の重り部材のいずれか、または前記第１の重り要素及び前記第２の重り要素のいずれかと係合するための空間を備える、ことを特徴とする請求項４に記載のダンベル装置。
【考案の詳細な説明】
【技術分野】
【０００１】
本考案は、異なる数の重り部材と係合するために、異なるサイズに調整可能な基部を備えるダンベル装置に関するものである。
【背景技術】
【０００２】
従来のダンベル装置は、多数の重りリングまたは重り部材を備える。
【考案の概要】
【考案が解決しようとする課題】
【０００３】
重り部材がハンドルバーに追加される場合、基部のサイズを調整することができず、基部が重り部材と係合しないことがある。
本考案は、上述に鑑みてなされたものであり、その目的は、異なる数の重り部材と係合するために、異なるサイズに調整可能な基部を備えるダンベル装置を提供することにある。
【課題を解決するための手段】
【０００４】
本考案のダンベル装置は、ハンドルバーと、前記ハンドルバーに取り付けられた第１の重り部材及び第２の重り部材と、前記第１の重り部材及び前記第２の重り部材に取り付け可能な第１の重り要素及び第２の重り要素と、筐体を含むレセプタクルとを備える。
第１のケーシング及び第２のケーシングは、前記第１の重り部材及び前記第２の重り部材と係合するためにハウジングと係合可能である。
【０００５】
前記ハウジングが２つの外側部分の各々に形成されたアンカー部材を備え、前記第１のケーシング及び前記第２のケーシングがそれぞれ、前記アンカー部材と係合するためのアンカー要素を備える。
少なくとも１つの第１のスペーサ及び少なくとも１つの第２のスペーサが、前記ハウジングに取り付けられ、前記ハウジングと前記第１のケーシング及び前記第２のケーシングとの間に係合される。これより、前記第１の重り要素及び前記第２の重り要素と係合する。
【図面の簡単な説明】
【０００６】
【図１】本考案の一実施形態のダンベル装置の斜視図である。
【図２】本考案の一実施形態のダンベル装置の斜視図である。
【図３】本考案の一実施形態のダンベル装置の分解図である。
【図４】本考案の一実施形態のダンベル装置の分解図である。
【図５】本考案の一実施形態のダンベル装置の分解図である。
【図６】本考案の一実施形態のダンベル装置の分解図である。
【考案を実施するための形態】
【０００７】
以下、本考案による実施形態を図面に基づいて説明する。
【０００８】
（一実施形態）
本考案のダンベル装置は、ダンベル本体と基部を備える。
図１から図４に示すように、ダンベル装置は、２つのプレート１１、１２の間に配置されたハンドルバー１０と、プレート１１、１２の外側部分に取り付けられた２つのグループの第１の重り部材１３、第２の重り部材１４とを備えるダンベル本体１を備える（図２及び図４）。
ダンベル本体１（図２及び図４）のサイズを大きくするために、１つ以上の第１の重り要素１５、第２の重り要素１６を第１の重り部材１３、第２の重り部材１４（図１及び図３）の外側部分に取り付けることができる。
【０００９】
図２に示すように、レセプタクル３は第１の重り部材１３、第２の重り部材１４または第１の重り要素１５、第２の重り要素１６と係合するように調整可能であり、ハンドルバー１０と係合するためのハウジング３０を備え、ハウジング３０は、プレート１１、１２と係合するために２つの側部に形成された１つまたは複数の窪み３１、３２を備える。
【００１０】
レセプタクル３はハウジング３０（図２及び図４）の外側部分に取り付けられる１つ以上の第１のケーシング４０、第２のケーシング４１を備え、第１のケーシング４０、第２のケーシング４１はそれぞれ、第１の重り部材１３、第２の重り部材１４（図２及び図４）または第１の重り要素１５、第２の重り要素１６（図１及び図３）と係合するための凹部４２、４３を備える。
【００１１】
ハウジング３０は２つの外側部分（図５及び図６）の各々に形成され、ハウジング３０から離れて面する１つ以上の固定部材またはダブテールスロット３３を備え、第１のケーシング４０、第２のケーシング４１は各々、内側部分に形成され、ハウジング３０のダブテールスロット３３（図２及び図４）と係合するようにハウジング３０に向けられた１つ以上の固定要素またはダブテール４４を備える。
【００１２】
図１及び図３に示すように、レセプタクル３は、ハウジング３０の外側部分のいずれかに取り付けられ、またはハウジング３０と第１のケーシング４０、第２のケーシング４１との間に係合されて、ハウジング３０と第１のケーシング４０、第２のケーシング４１との間の距離が第１の重り部材１３、第２の重り部材１４及び第１の重り要素１５、第２の重り要素１６と係合するように調整されることを可能にする、１つ以上の第１のスペーサ５０、第２のスペーサ５１を備える。
第１のスペーサ５０、第２のスペーサ５１はそれぞれ、第１の重り部材１３、第２の重り部材１４または第１の重り要素１５、第２の重り要素１６と係合するための空間５２、５３を備える。
【００１３】
図５及び図６に示すように、第１のスペーサ５０、第２のスペーサ５１はそれぞれ、外側部分に形成され、第１のケーシング４０、第２のケーシング４１のダブテール４４と係合するためにハウジング３０から離れた方を向いている１つまたは複数の固着部材またはダブテールスロット５４を備え、各々、内側部分に形成され、ハウジング３０のダブテールスロット３３と係合するためにハウジング３０の方を向いている１つまたは複数の固着要素またはダブテール５５を備える。
【００１４】
図５及び図６に示すように、レセプタクル３はハウジング３０、第１のスペーサ５０、第２のスペーサ５１、または、第１のケーシング４０、第２のケーシング４１を互いに固定するために、ハウジング３０、第１のスペーサ５０、第２のスペーサ５１、または、第１のケーシング４０、第２のケーシング４１と係合する１つ以上のアンカー６０、ハウジング３０、第１のスペーサ５０、第２のスペーサ５１、または、第１のケーシング４０、第２のケーシング４１を互いに固定するために、アンカー６０と係合する１つ以上のファスナ６１を備えることができる。
【００１５】
図２及び図４に示すように、第１の重り部材１３、第２の重り部材１４のみがプレート１１、１２に、またはハンドルバー１０に直接取り付けられ、第１の重り部材１３、第２の重り部材１４に第１の重り要素１５、第２の重り要素１６が取り付けられていない場合、第１のケーシング４０、第２のケーシング４１は、第１の重り部材１３、第２の重り部材１４と係合するための第１のスペーサ５０、第２のスペーサ５１なしでハウジング３０に直接取り付けられる。
【００１６】
図１及び図３に示すように、第１の重り要素１５、第２の重り要素１６が第１の重り部材１３、第２の重り部材１４に取り付けられると、１つ以上の第１のスペーサ５０、第２のスペーサ５１がハウジング３０に取り付けられ、または第１の重り部材１３、第２の重り部材１４及び第１の重り要素１５、第２の重り要素１６がレセプタクル３内に支持されることを可能にするために、ハウジング３０と第１のケーシング４０、第２のケーシング４１との間に係合される。
【００１７】
このように、本開示は、上記実施形態に限定されるものではなく、その要旨を逸脱しない範囲で種々の形態で実施可能である。
【符号の説明】
【００１８】
１ダンベル本体、
３レセプタクル、
１０ハンドルバー、
１１プレート、
１２プレート、
１３第１の重り部材、
１４第２の重り部材、
１５第１の重り要素、
１６第２の重り要素、
３０ハウジング、
３１窪み、
３２窪み、
３３ダブテールスロット、
４０第１のケーシング、
４１第２のケーシング、
４２凹部、
４３凹部、
４４ダブテール、
５０第１のスペーサ、
５１第２のスペーサ、
５２空間、
５３空間、
５４ダブテールスロット、
５５ダブテール、
６０アンカー、
６１ファスナ。
【図１】
0003231197.tif 000003
【図２】
0003231197.tif 000004
【図３】
0003231197.tif 000005
【図４】
0003231197.tif 000006
【図５】
0003231197.tif 000007
【図６】
0003231197.tif 000008